(57)【特許請求の範囲】
【請求項１】
本体と、
貫通孔を有し、前記本体の少なくとも一部を覆うカバーと、
前記カバーを前記本体に固定する固定機構と、
前記カバーと前記本体との間に侵入した水を外部に排出するための防水機構と、を備え、
前記固定機構は、前記本体に設けられ、前記カバーが前記本体に固定されるときに前記貫通孔に挿入される回転ノブと、前記回転ノブの回動によって移動する突出部と、前記カバーの内側に設けられ、前記カバーが前記本体に固定されるときに前記突出部と係合する係合部と、前記本体に設けられ、前記カバーが前記本体に固定されるときに前記係合部を収容する凹部と、を有し、
前記防水機構は、前記本体又は前記カバーに設けられ、前記カバーの外縁方向に向かって延在し、前記カバーが前記本体に固定されたときに前記凹部と連通する溝部を有することを特徴とする電子機器。
【請求項２】
前記本体は、前記カバーを取り外した際に前記本体から露出する被保護部をさらに有し、
前記防水機構は、前記カバーが前記本体に固定されたときに、前記カバーと前記本体の間に介在し、前記被保護部への水の浸入を防止する止水部をさらに有し、
前記溝部は、前記回転ノブに対して前記止水部寄りに形成されていることを特徴とする請求項１に記載の電子機器。
【請求項３】
前記溝部は、前記止水部の一部に沿って延在していることを特徴とする請求項２に記載の電子機器。
【請求項４】
前記凹部は、前記カバーを前記本体から取り外すために前記回転ノブが回動され、前記係合部との係合が外れた前記突出部をさらに収容することを特徴とする請求項１〜３のいずれか一項に記載の電子機器。
【請求項５】
前記カバーと前記本体の間に浸入した水の一部は、操作者が電子機器を振ることにより溝部を通って外部へ排水されることを特徴とする請求項１〜４のいずれか一項に記載の電子機器。
【発明の詳細な説明】
【技術分野】
【０００１】
本発明は、防水機構を有する電子機器に関する。
【背景技術】
【０００２】
携帯電話機等の携帯型の電子機器においては、電池を交換可能に構成するために、着脱可能なカバーを設けている。しかし、このカバーと筐体との隙間から水が浸入すると、故障や短絡が生じてしまう。そこで、電池の収容スペース等への水の浸入を防止する防水機構が設けられる（例えば、特許文献１及び特許文献２参照）。
【０００３】
特許文献１に記載の電子機器には、２つの筐体構成部材が互いに接合されて内部に格納室が形成されており、２つの筐体構成部材の接合面の内、何れか一方の接合面には、格納室を包囲して延びる溝が凹設され、２つの筐体構成部材が互いに接合された状態で一方の接合面の溝の底面と他方の接合面との間には、溝による空間が形成されている。
【０００４】
特許文献２に記載の防水筐体構造には、カバーが筐体のカバー取付部に着脱自在に取付けられ、筐体のカバー取付部の周囲に溝部を設け、該溝部によってカバーとカバー取付部との間に生じた隙間部から浸入する水等を排水するようにしている。
【先行技術文献】
【特許文献】
【０００５】
【特許文献１】特開２０１０−２２６５３１号公報
【特許文献２】特開平８−８５４６号公報
【発明の概要】
【発明が解決しようとする課題】
【０００６】
以下の分析は、本発明の観点から与えられる。
【０００７】
例えば、電池等を収容するためのカバーを有する携帯型電子機器においては、携帯時にカバーが取り外れることを防止すると共に、カバーを着脱可能に固定するために、電子機器には、機械的に可動する固定機構が設けられている。固定機構は、操作者が可動部を操作して、カバーを本体に固定し、及びそれを解除するように構成されている。このため、カバーには、固定機構の設置により、カバーの内外を連通する隙間が形成されることがある。この隙間は、カバー内部へ浸入する水の流路となってしまう。そこで、カバーと本体との間に浸入した水が、外部へ排出されやすくするための防水機構が必要となる。
【０００８】
特許文献１及び特許文献２に記載の防水機構は、カバーの周囲からカバーの内側へ水が浸入することを抑制するものであり、カバーの内側に水が入った場合に、排水等の対処をすることができない。水がカバーの内側に滞留している場合、例えば、電池収容スペースがカバー内側に設けられたパッキンにより防水されているとしても、カバーを外した際に、パッキンが本体から離れることになるので、カバーの内側に滞留していた水が電池収容スペースへ流入してしまうことになる。また、特許文献１及び特許文献２に記載の防水機構は、固定機構からの水の浸入に対処できるものでもない。
【課題を解決するための手段】
【０００９】
本発明の第１視点によれば、電子機器は、本体と、貫通孔を有し、本体の少なくとも一部を覆うカバーと、カバーを本体に固定する固定機構と、カバーと本体との間に侵入した水を外部に排出するための防水機構と、を備える。固定機構は、本体に設けられ、カバーが本体に固定されるときに貫通孔に挿入される回転ノブと、回転ノブの回動によって移動する突出部と、カバーの内側に設けられ、カバーが本体に固定されるときに突出部と係合する係合部と、本体に設けられ、カバーが本体に固定されるときに係合部を収容する凹部と、を有する。防水機構は、本体又はカバーに設けられ、カバーの外縁方向に向かって延在し、カバーが本体に固定されたときに凹部と連通する溝部を有する。
【発明の効果】
【００１０】
カバーと本体との間に水が浸入しても、溝部を通じて水を外部へ排水することができる。特に、水の浸入箇所と溝部とを連通させることにより、カバー内側に水が残留することを防止することができる。これにより、カバーを開けた際に、カバー内側に滞留していた水が被保護部へ流入することを防止することができる。
【図面の簡単な説明】
【００１１】
【図１】本発明の第１実施形態に係る電子機器の概略平面図。
【図２】図１に示す電子機器の概略斜視図。
【図３】図１に示す電子機器においてカバーを取り外した状態の概略平面図。
【図４】図３に示す固定機構及び防水機構の概略拡大図。
【図５】本体の筐体の概略斜視図。
【図６】本発明の第１実施形態に係る電子機器の一部の概略平面図。
【図７】図６のVII−VII線における概略断面図。
【図８】カバーの概略平面図。
【図９】図８のIX−IX線における概略断面図。
【図１０】図９のＸ部分の概略拡大図。
【図１１】止水部と当接部とが当接した状態の一例を示す概略断面図。
【発明を実施するための形態】
【００１２】
上記第１視点の好ましい形態を以下に記載する。
【００１３】
上記第１視点の好ましい形態によれば、本体は、カバーを取り外した際に本体から露出する被保護部をさらに有する。防水機構は、カバーが本体に固定されたときに、カバーと本体の間に介在し、被保護部への水の浸入を防止する止水部をさらに有する。溝部は、回転ノブに対して止水部寄りに形成されている。
【００１４】
上記第１視点の好ましい形態によれば、溝部は、止水部の一部に沿って延在している。
【００１５】
上記第１視点の好ましい形態によれば、凹部は、カバーを本体から取り外すために回転ノブが回動され、係合部との係合が外れた突出部をさらに収容する。
【００１６】
上記第１視点の好ましい形態によれば、カバーと本体の間に浸入した水の一部は、操作者が電子機器を振ることにより溝部を通って外部へ排水される。
【００１７】
本発明の第１実施形態に係る電子機器について説明する。ここでは、電子機器の一例として、携帯電話機を例に挙げて説明する。図１に、本発明の第１実施形態に係る電子機器の概略平面図を示す。図２に、図１に示す電子機器の概略斜視図を示す。図１及び図２に示す電子機器１００は、折り畳み式携帯電話機である。図１は、折り畳んだ状態（閉状態）においてカバー１２側からみた平面図である。図２は、開いた状態においてディスプレイやキーボタン側から見た斜視図である。
【００１８】
電子機器１００は、本体１１と、本体１１に着脱可能に取り付けられるカバー１２と、本体１１にカバー１２を固定するための固定機構２０と、固定機構２０から水が内部に浸入した場合に外部へ排出するための防水機構と、を備える。カバー１２は、例えば、電池（充電池含む）を交換可能にするために、電池収容スペース等を被覆するために設けられるものである。カバー１２は、電池収容部のカバー１２に限定されることなく、操作者が開閉する場所（例えばイヤホンジャック、コネクタ接続部、カード挿入部）であってもよい。また、カバー１２は、例えば、電子機器１００の筐体の一部であってもよい。
【００１９】
図３に、図１に示す電子機器１００においてカバー１２を取り外した状態の概略平面図、すなわちカバー１２の内側の本体の概略平面図を示す。図４に、図３に示す固定機構２０及び防水機構の概略拡大図を示す。図５に、固定機構及び防水機構が形成された本体の筐体の概略斜視図を示す。図６に、本発明の第１実施形態に係る電子機器の一部の概略平面図を示す。図７に、図６のVII−VII線における概略断面図を示す。図７は、カバー１２を本体１１に固定した状態を示す。図８に、カバーの概略平面図を示す。図９に、図８のIX−IX線における概略断面図を示す。図１０に、図９のＸ部分の概略拡大図を示す。
【００２０】
図１〜図７に示す固定機構２０について説明する。固定機構２０は、本体１１の筐体１３に装着された回転ノブ２１（図５において不図示）と、回転ノブ２１に取り付けられ、回転ノブ２１の回動によって移動する突出部２２ａ，２２ｂと、を有する。突出部２２ａ，２２ｂは、図７に示すように、回転ノブ２１と一体的に形成することもできる。また、固定機構２０は、回転ノブ２１が挿入され、回転ノブ２１の一部を外面に露出するための貫通孔１２ａと、カバー１２を本体１１に固定するときに突出部２２ａ，２２ｂと係合する係合部２４ａ，２４ｂと、をカバー１２に有する。
【００２１】
防水機構は、カバー１２が本体１１に装着された際に係合部２４ａ，２４ｂが収容又は嵌合される凹部２３ａ，２３ｂと、凹部２３ａ，２３ｂと連通し、カバー１２の縁部方向に（図３及び図４においては本体１１の側面方向に）延在する溝部３１ａ，３１ｂと、溝部３１ａ，３１ｂの端部（本体１１の側面）に、溝部３１ａ，３１ｂと連通し、外部に水を排水するための排水部３２ａ，３２ｂと、を有する。凹部２３ａ，２３ｂと溝部３１ａ，３１ｂとを連通させることにより、貫通孔１２ａから凹部２３ａ，２３ｂに浸入した水を溝部３１ａ，３１ｂを経由して排水部３２ａ，３２ｂに導くことができる。凹部２３ａ，２３ｂは、回転ノブ２１の外側の領域に、回転ノブ２１の外周の一部に沿って円周方向に延在して形成されている。凹部２３ａ，２３ｂは、係合部のみならず、回転ノブ２１の回動によって係合部から外れた突出部２２ａ，２２ｂを収容する領域であってもよい。図５に示す形態においては、凹部２３ａ，２３ｂにおいて、係合部２４ａ，２４ｂを収容する部分は、一段より低くなっている。図３、図４及び図７に示す形態においては、凹部２３ａ，２３ｂは、係合部の位置及び数に応じて、回転ノブ２１の直径方向に互いに対向して２箇所形成されている。溝部３１ａ，３１ｂは、図３、図４及び図６に示す形態においては、本体１１の筐体１３に形成されているが、カバー１２に形成し、カバー１２が本体１１に装着された際に、カバー１２と本体１１とで水の導通路を形成するように構成してもよい。図７に示す形態においては、回転ノブ２１と筐体１３との間には、回転ノブ２１と筐体１３との間から筐体１３内へ水が浸入することを防止するためのパッキン３６が設けられている。
【００２２】
また、防水機構は、電池を収容するスペース等の被保護部４１の周囲を取り囲むように形成され、被保護部４１への水の浸入を防止する止水部３５及び当接部３３を有する。図１１に、止水部と当接部とが当接した状態の一例を示す概略断面図を示す。図９〜図１１に示す形態においては、止水部３５と当接部３３とが当接して隙間なく密着することにより、被保護部４１への水の浸入を防止する。止水部３５はカバー１２の裏側に形成されている。当接部３３は、例えば、電池を収容するスペースを形成するための側面（開口の内壁）とすることができる。止水部３５は、本体１１とカバー１２との間に浸入した水が被保護部４１へ流入することをせき止めるものであり、例えば本体１１とカバー１２とを密着させるためのシリコンゴム等のＯリング状のパッキンを有してもよい。図８〜図１１に示す形態においては、止水部３５は、主としてカバー１２の内側に形成したが、本体１１に形成してもよいし、本体１１とカバー１２の両方に形成してもよい。また、当接部３３もカバー１２に形成してもよいし、本体１１とカバー１２の両方に形成してもよい。当接部３３は、カバー１２を本体１１に装着させたときに、本体１１の被保護部４１の周囲にパッキン３５と当接密着する隆起部や溝部として形成してもよい。これにより、カバー１２と本体１１との間に隙間が形成されなくなり、被保護部４１への水の浸入を防止することができる。
【００２３】
溝部３１ａ，３１ｂは、被保護部４１の外側に、すなわちカバー１２の外縁と止水部３５の間に形成されている。溝部３１ａ，３１ｂは、止水部３５の一部に沿って延在すると好ましい。図３〜図５に示す形態おいては、溝部３１ａ，３１ｂは、電子機器の側面方向に延在する止水部３５の一部とほぼ平行に延在している。溝部３１ａ，３１ｂは、回転ノブ２１に対して止水部３５寄りに形成すると好ましい。例えば、図３及び図４に示す形態においては、溝部３１ａ，３１ｂは、回転ノブ２１の中心から止水部３５及び当接部３３寄りに（図面上下側に）形成されている。これにより、止水部３５によってせき止められた水を、溝部３１ａ，３１ｂによってより排水しやすくなる。溝部３１ａ，３１ｂは、図３〜図５に示す形態においては、回転ノブ２１から左右両方向に延在しているが、いずれか一方のみに延在する構成であってもよい。
【００２４】
次に、図１〜図１１に示す本発明の電子機器１００における固定機構２０の動作について説明する。カバー１２を本体１１に固定する場合、操作者は、回転ノブ２１を貫通孔１２ａに挿入してカバー１２を本体１１に取りつけた後、回転ノブ２１を回動させる。これにより、例えば羽根状の突出部２２ａ，２２ｂが周方向に移動し、カバー１２の係合部２４ａ，２４ｂと係合する。突出部２２ａ，２２ｂと係合部２４ａ，２４ｂとの係合により、カバー１２は本体１１に固定され、外れなくなる。一方、カバー１２を本体１１から取り外す場合、操作者は、回転ノブ２１を逆方向に回転させる。これにより、突出部２２ａ，２２ｂが周方向に移動し、突出部２２ａ，２２ｂと係合部２４ａ，２４ｂとの係合が外れ、カバー１２が取り外せるようになる。
【００２５】
図３、図４及び図７に示す形態においては、突出部２２ａ，２２ｂは、回転ノブ２１に２箇所形成されている。２つの突出部２２ａ，２２ｂは、回転ノブ２１の直径方向に突出している。係合部２４ａ，２４ｂは、カバー１２の内側に形成されている。図１〜図９に示す形態においては、係合部２４ａ，２４ｂは、突出部２２ａ，２２ｂの位置及び数に応じて２箇所形成されている。
【００２６】
次に、本発明の電子機器１００における防水機構の動作について説明する。電子機器１００が水に濡れたり、水中に落とされたりしまった場合、水は、カバー１２の貫通孔１２ａと本体１１の回転ノブ２１との隙間からカバー１２の内側へ浸入する。そこで、操作者が、カバー１２内側へ浸入した水を排水するために電子機器１００を数回振ると、水に遠心力が加わる。カバー１２内側の水は、遠心力により、溝部３１ａ，３１ｂを通ってカバー１２の外縁方向へ移動し、カバー１２の外縁と本体１１との隙間（すなわち排水部３２ａ，３２ｂ）から排水される。図４及び図５に示すように、凹部２３ａ，２３ｂと溝部３１ａ，３１ｂとは連通しているので、貫通孔１２ａと回転ノブ２１との隙間や凹部２３ａ，２３ｂに存在する水も溝部３１ａ，３１ｂに到達することができるので、カバー１２と本体１１との間に水が滞ることもない。また、溝部３１ａ，３１ｂが、止水部３５の一部と同方向に、かつ止水部３５寄りに形成されている場合、止水部３５によってせき止められた水も溝部３１ａ，３１ｂに到達しやすくなり、カバー１２内側に残留しにくくなる。また、凹部２３ａ，２３ｂ及び溝部３１ａ，３１ｂ以外の領域において、本体１１とカバー１２との間に水が存在する場合であっても、電子機器１００を振ることによって排水することができるが、溝部３１ａ，３１ｂがあることによってより排水部３２へ導きやすくなる。
【００２７】
上記説明においては、突出部及び凹部を本体に形成し、係合部をカバーに形成する形態を例にしたが、突出部及び凹部をカバーに形成し、係合部を本体に形成する形態であってもよい。このとき、溝部は、カバーを閉じたときに凹部と連通できるようにすれば、本体に形成しても、カバーに形成してもよい。
【００２８】
上記説明においては、水の浸入箇所が固定機構である例を基に説明したが、本発明は、水の浸入箇所が固定機構以外であっても適用することができる。
【００２９】
本発明の電子機器は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００３０】
本発明のさらなる課題、目的及び展開形態は、請求の範囲を含む本発明の全開示事項からも明らかにされる。
【産業上の利用可能性】
【００３１】
本発明の電子機器は、水に濡れる危険性がある携帯型電子機器の好適に適用される。本発明を適用可能な電子機器としては、例えば、携帯電話機、携帯オーディオプレーヤ、携帯ゲーム機、ノート型パソコン、カメラ・ビデオ、電子辞書などを挙げることができる。
【符号の説明】
【００３２】
１１          本体
１３          筐体
１２          カバー
１２ａ          貫通孔
１３            筐体
２０          固定機構
２１          回転ノブ
２２ａ，２２ｂ          突出部
２３ａ，２３ｂ          凹部
２４ａ，２４ｂ          係合部
３１ａ，３１ｂ          溝部
３２ａ，３２ｂ          排水部
３３          当接部
３５          止水部
３６          パッキン
４１          被保護部
１００          電子機器
【図１】
0005674122.tif 000002
【図２】
0005674122.tif 000003
【図３】
0005674122.tif 000004
【図４】
0005674122.tif 000005
【図５】
0005674122.tif 000006
【図６】
0005674122.tif 000007
【図７】
0005674122.tif 000008
【図８】
0005674122.tif 000009
【図９】
0005674122.tif 000010
【図１０】
0005674122.tif 000011
【図１１】
0005674122.tif 000012